(57)【要約】【課題】一枚のブランクから組み立てることができ、易開封性トップオープン機能を付与した形状のカートンの中で商品を二つに分けて収納することができる易開封中仕切りカートンを提供することにある。【解決手段】本発明は、底板、側板、天板、側板、連結板、仕切り板、貼着片をそれぞれ折れ線を介して順次連設し、天板の両側辺にはそれぞれ前板と後板を折れ線を介して連設し、底板の両側辺にはそれぞれ前下板と後下板を折れ線を介して連設したカートンブランクを組み立ててなり、仕切り板から切り取り可能な貼着片を天板の裏面に貼着固定し、該カートン内を仕切り板によって２分割した中仕切りカートンであって、天板に並行する天板破断線を設け、前板に天板破断線に連続して前板破断線を辺縁まで設け、該前板破断線および天板破断線を引き裂くと同時に、貼着片を引き裂くことにより、天板および前板の一部をそれぞれ開閉部分として開口可能としたことを特徴とする易開封中仕切りカートンである。【選択図】図２
2005104508.tif 000002
【特許請求の範囲】
【請求項１】
底板、側板、天板、側板、連結板、仕切り板、貼着片をそれぞれ折れ線を介して順次連設し、前記天板の両側辺にはそれぞれ前板と後板を折れ線を介して連設し、前記底板の両側辺にはそれぞれ前下板と後下板を折れ線を介して連設したカートンブランクを組み立ててなり、前記仕切り板から切り取り可能な前記貼着片を前記天板の裏面に貼着固定し、該カートン内を仕切り板によって２分割した中仕切りカートンであって、
前記天板に並行する天板破断線を設け、前記前板に前記天板破断線に連続して前板破断線を辺縁まで設け、該前板破断線および前記天板破断線を引き裂くと同時に、前記貼着片を引き裂くことにより、前記天板および前記前板の一部をそれぞれ開閉部分として開口可能としたことを特徴とする易開封中仕切りカートン。
【請求項２】
前記前板の辺縁中央に前記前板破断線の間隔を狭くして摘まみ部を設けたことを特徴とする請求項１に記載の易開封中仕切りカートン。
【請求項３】
前記前下板に前記摘まみ部を差し込む切り込みを設けたことを特徴とする請求項２に記載の易開封中仕切りカートン。
【請求項４】
前記貼着片と前記仕切り板との折れ線をミシン目、リード罫、半切れ、半切れミシン目としたことを特徴とする請求項１乃至３のいずれかに記載の易開封中仕切りカートン。
【発明の詳細な説明】
【技術分野】
【０００１】
本発明は、菓子類や食品などの商品を仕切りによって二つに分けて収納するためのカートンであって、上側の天板および前板に開閉部分を設け内容物を取り出しやすくした易開封中仕切りカートンに関するものである。
【背景技術】
【０００２】
従来より、菓子類や食品などの商品を収納し、商品を取り出す開閉部分を設け、取り出し易くした形状の易開封カートンが用いられており、代表的なものとして、図９−ａに示すように、前板２２から天板１３に渡る開閉部分である前板開閉部分Ｑと天板開閉部分Ｐを設けた横置きタイプのものが知られている。この易開封カートン２は、前板２２の一部からなる摘まみ部１９ａを引っ張り、一対の前板破断線ｑ、ｑと天板破断線ｐ、ｐを破断することにより、図９−ｂに示すように前板開閉部分Ｑおよび天板開閉部分Ｐを開けることで商品を取り出すようになっている。また、一旦開けた開閉部分Ｑは、摘まみ部１９ａを前下板２１の切り込み２１ａに差し込んで閉じるようになっている。
【０００３】
また、菓子類や食品などの商品を収納して、中で二つに分けて収納するためのカートンとしては、カートンの中に仕切り用の別部材を挿入した形態のものが実用化されている（例えば、特許文献１参照。）。
【特許文献１】実用新案登録２５１９３７２号公報
【発明の開示】
【発明が解決しようとする課題】
【０００４】
しかしながら、従来の中仕切りカートンでは、中仕切り用の別部材を使用するために、材料コスト、加工コストが高くなるという問題がある。また、仕切りがカートンの中で固定されていないという問題がある。
【０００５】
本発明は、一枚のブランクから組み立てることができ、易開封性トップオープン機能を付与した形状のカートンの中で商品を二つに分けて収納することができる易開封中仕切りカートンを提供することを目的とするものである。
【課題を解決するための手段】
【０００６】
上記目的を達成するため、本発明は、底板、側板、天板、側板、連結板、仕切り板、貼着片をそれぞれ折れ線を介して順次連設し、前記天板の両側辺にはそれぞれ前板と後板を折れ線を介して連設し、前記底板の両側辺にはそれぞれ前下板と後下板を折れ線を介して連設したカートンブランクを組み立ててなり、前記仕切り板から切り取り可能な前記貼着片を前記天板の裏面に貼着固定し、該カートン内を仕切り板によって２分割した中仕切りカートンであって、前記天板に並行する天板破断線を設け、前記前板に前記天板破断線に連続して前板破断線を辺縁まで設け、該前板破断線および前記天板破断線を引き裂くと同時に、前記貼着片を引き裂くことにより、前記天板および前記前板の一部をそれぞれ開閉部分として開口可能としたことを特徴とする易開封中仕切りカートンである。また、前記前板の辺縁中央に前記前板破断線の間隔を狭くして摘まみ部を設け、前記前下板に前記摘まみ部を差し込む切り込みを設けたことを特徴としている。さらに、前記貼着片と前記仕切り板との折れ線をミシン目、リード罫、半切れ、半切れミシン目としたことを特徴としている。
【発明の効果】
【０００７】
本発明の易開封中仕切りカートンは上述の如く、カートンの中に商品を二つに分けて収納することができるものであり、すなわち、別部材としての中仕切りを一切不要とし、一枚のブランクから組み立てることが可能な形状であり、その製造工程における作業性および生産性を著しく向上させることが出来るという効果を有している。
【０００８】
また、貼着片の一部を天板の裏面に貼着することによって、仕切り板をカートン内で固定することができ、仕切り板で分けられて収納された商品を安全に保護することが出来るという効果を有している。
【０００９】
さらに、前板の辺縁中央に設けた摘まみ部を摘まみ、前板の前板破断線を引き裂いて前板の開閉部分を開封し始め、引き続いて天板の天板破断線を引き裂いて天板の開閉部分を開口することができ、収納された商品を簡単に取り出すことができるという効果を有している。
【発明を実施するための最良の形態】
【００１０】
以下、本発明の実施の形態について図面を参照して説明する。
【００１１】
図１は、本発明の易開封中仕切りカートンの第一の実施の形態の一実施例を示す斜視図である。易開封中仕切りカートン１Ａは、前板２２、天板１３、後板２３（図示せず）、底板１１、側板１２（図示せず）、側板１４からなる直方体のカートンであり、天板１３には、一対の並行する天板破断線ｐ、ｐが設けられ、前板２２には、天板破断線ｐ、ｐに連続して一対の前板破断線ｑ、ｑが辺縁まで設けられ、該前板破断線ｑ、ｑおよび天板破断線ｐ、ｐを引き裂くことにより、前板２２の一部の前板開閉部分Ｑおよび天板１３の一部の天板開閉部分Ｐを開口可能としている。また、前板２２の中央辺縁は、前板開閉部分Ｑが開封しやすいように前板破断線ｑ、ｑ間の幅を狭くして摘まみ部２２ａとしている。
【００１２】
図２は、図１の易開封中仕切りカートン１Ａの開閉部分を開けた状態を示す斜視図であり、前板２２の摘まみ部２２ａを摘んで開封し、前板２２の前板開閉部分Ｑおよび天板１３の天板開閉部分Ｐを開口した状態を示している。この天板開閉部分Ｐを開口すると同時に、天板１３と貼り合わせている貼着片１７が切り取られる。この開口した状態で、仕切り板１７で二つに分けられて収納されている商品を取り出すことができる。そして、再封できるように、前板２２の摘まみ部２２ａを差し込む切り込み１８ａを前下板１８に設けている。
【００１３】
図３は、図１の易開封中仕切りカートン１Ａを組み立てるブランクを示す展開図であり、ブランク１０Ａでは、横方向の折れ線ａ、ｂ、ｃ、ｄ、ｅ、ｆを介して底板１１、側板１２、天板１３、側板１４、連結板１５、仕切り板１６、貼着片１７が連設され、天板１３の左右の辺には折れ線ｋ、ｌを介してそれぞれ前板２２と後板２３が連設され、底板１１の左右の辺には折れ線ｇ、ｈを介してそれぞれ前下板１８と後下板１９が連設され、そして、側板１２の左右の辺には折れ線ｉ、ｊを介してそれぞれ折り込み片２０、２１が連設され、側板１４の左右の辺には折れ線ｍ、ｎを介してそれぞれ折り込み片２４、２５が連設されている。また、折れ線ｆは、開口する時に、貼着片１７が仕切り板１６から切り取りやすいように、ミシン目、リード罫、半切れ、半切れミシン目等としている。このようにすることによって、天板１３を開口する時に、貼着片１７を仕切り板１６から切り離すことができる。また、仕切り板１６を、図３に示すように、斜めにカットし、貼着板１７の長さを短くすることによって、貼着片１７を仕切り板１６から切り取りやすくすることができる。
【００１４】
また、天板１３には、横方向に一対の天板破断線ｐ、ｐを設けられている。この一対の天板破断線ｐ、ｐにより囲まれる領域は天板開閉部分Ｐとなり、天板１３の一対の天板破断線ｐ、ｐが破断され開口される。この一対の天板破断線ｐ、ｐは必ずしも平行である必要はなく、傾斜した線であってもよい。また、天板破断線ｐは直線ではなく、曲線であってもよい。従って、天板開閉部分Ｐの形状は、四辺形、台形が基本であるが、種々の形状とすることができる。この一対の天板破断線ｐ、ｐは、破断しやすいように、Ｙ字状切れ目、Ｌ字状切れ目、ミシン目などで設けることが好ましい。
【００１５】
また、前板２２には、天板１３の天板破断線ｐ、ｐに連続して一対の前板破断線ｑ、ｑが設けられている。この一対の前板破断線ｑ、ｑにより囲まれる領域は前板開閉部分Ｑとなり、前板２２の一対の前板破断線ｑ、ｑが破断され開封される。また、この前板破断線ｑ、ｑは前板２２の辺縁では指で摘まみやすいように、間隔を狭くし摘まみ部２２ａとしている。この摘まみ部２２ａを摘まみ、前板破断線ｑ、ｑを切り裂くことから開封を始めることができる。さらに、前下板１８には、摘まみ部２２ａに対応する位置に、前板２２の差し込み片２２ａを差し込むための切り込み１８ａが設けられている。
【００１６】
上記のブランク１０Ａから易開封中仕切りカートン１Ａを組み立てて商品を収納するには、まず、仕切り板１６および貼着片１７を折れ線ｅで連結板１５側に折り返し、ついで、側板１４を折れ線ｃで天板１３側に折り曲げて貼着片１７を天板１３の内面に貼着する。つぎに、底板１１を折れ線ａで側板１２側に折り曲げて、連結板１５と底板１１とを貼り合わせて、図４−ａに示すように、折り畳んだ状態の易開封中仕切りカートン１Ａとすることができる。
【００１７】
つぎに、このサック貼りして折り畳んだ状態の易開封中仕切りカートン１Ａを、図４−ｂに示すように、実際に内容物を充填する工程で角筒状に起こし、両方の折り込み片２１、２５を内側に折り曲げてから、後下板１９、後板２３の順にそれぞれ内側に折り曲げて互いに接着することにより、図４−ｃに示すように、一方の側を閉鎖する。この状態で他方の側面開口から内容物を充填する。このように内容物を収納した後、図４−ｄに示すように、両方の折り込み片２０、２４を内側に折り曲げてから、前下板１８、前板２２の順にそれぞれ内側に折り曲げて互いに接着することにより他方の側を閉鎖する。このようにして図１に示す易開封中仕切りカートン１Ａを作成することができる。
【００１８】
図１の易開封中仕切りカートン１Ａを開封するには、従来の易開封カートンと同様、図５−ａに示すように、前板２２の摘まみ部２２ａを摘んで引っ張り上げ、そして、摘まみ部２２ａの横への前板破断線ｑ、ｑを引き裂いて前板開閉部分Ｑを開封しはじめる。引き続いて前板２２の前板開閉部分Ｑを開封した後に、図５−ｂに示すように、天板１３の天板開封部分Ｐを両側の天板破断線ｐ、ｐに沿って引き裂くことにより、図２に示すように、前板開閉部分Ｑと天板開封部分Ｐが開口された状態とすることができる。この状態でカートン内に二つに分けられて収納されている商品を取り出すことができる。
【００１９】
そして、一旦開けた部分を再封する際には、摘まみ部２２ａを、前下板１８に設けられている切り込み１８ａに差し込んで係止することができる。
【００２０】
本実施例は再封の方法に関する一つの例を示したに過ぎず、この形状に限定されるものではない。
【００２１】
図６は、本発明の易開封中仕切りカートンの第二の実施の形態の一実施例を示す斜視図である。易開封中仕切りカートン１Ｂは、第一の実施の形態の易開封中仕切りカートン１Ａと同様に、前板２２、天板１３、後板２３、底板１１（図示せず）、側板１２（図示せず）、側板１４からなる直方体のカートンであり、天板１３には、一対の並行する天板破断線ｐ、ｐが設けられ、前板２２には、天板破断線ｐ、ｐに連続して一対の前板破断線ｑ、ｑが辺縁まで設けられ、該前板破断線ｑ、ｑおよび天板破断線ｐ、ｐを引き裂くことにより、前板２２の一部の前板開閉部分Ｑおよび天板１３の一部の天板開閉部分Ｐを開口可能としている。また、前板２２の中央辺縁は、前板開閉部分Ｑが開封しやすいように前板破断線ｑ、ｑ間の幅を狭くして摘まみ部２２ａとしている。ただし、第一の実施の形態の易開封中仕切りカートン１Ａと異なるところは、天板１３と後板２３との折れ線ｌに平行に所定の幅をもって天板１３上に折れ線ｒを設け、この折れ線ｒで天板開閉部分Ｐを折り曲げて開口できるようにしている点である。従って、天板破断線ｐ、ｐの後端はこの折れ線ｒに達するまでとしている。
【００２２】
図７は、図６の易開封中仕切りカートン１Ｂの開閉部分を開けた状態を示す斜視図であり、前板２２の摘まみ部２２ａを摘んで開封し、前板２２の前板開閉部分Ｑおよび天板１３の天板開閉部分Ｐを開口した状態を示している。この天板開閉部分Ｐを開口すると同時に、天板１３と貼り合わせている貼着片１７が切り取られる。この開口した状態で、仕切り板１７で二つに分けられて収納されている商品を取り出すことができる。また、開口された状態でも、貼着片１７の一部を天板１３に貼り合わせておくことによって、仕切り板１６が固定され、内容物を確実に二つに分けた状態で保つことができる。そして、再封できるように、前板２２の摘まみ部２２ａを差し込む切り込み１８ａを前下板１８に設けている。
【００２３】
図８は、図６の易開封中仕切りカートン１Ｂを組み立てるブランクを示す展開図であり、ブランク１０Ｂは、第一の実施の形態の易開封中仕切りカートン１Ａのブランク１０Ａとほぼ同様であり、異なるところは、天板１３において、折れ線ｌに平行に所定の幅をもって折れ線ｒを設けており、この折れ線ｒで天板開閉部分Ｐを外側に折り曲げて開口できるようにしている点である。従って、天板破断線ｐ、ｐの後端は、折れ線ｌに達せずこの折れ線ｒに達するまでとしている。
【００２４】
上記のブランク１０Ｂから易開封中仕切りカートン１０Ｂを組み立てて商品を収納する方法は、第一の実施の形態の易開封中仕切りカートン１Ａと同様であり、サック貼りして折り畳んだ状態の易開封中仕切りカートン１Ｂを、内容物を充填する工程で角筒状に起こし、内容物を収納した後、それぞれ側を閉鎖して図６に示す易開封中仕切りカートン１Ｂを作成する。
【００２５】
図６の易開封中仕切りカートン１Ｂを開封するには、第一の実施の形態の易開封中仕切りカートン１Ａと同様に、前板２２の摘まみ部２２ａを摘んで引っ張り上げ、そして、摘まみ部２２ａの横への前板破断線ｑ、ｑを引き裂いて前板開閉部分Ｑを開封しはじめる。引き続いて前板２２の前板開閉部分Ｑを開封した後に、天板１３の天板開封部分Ｐを両側の天板破断線ｐ、ｐに沿って引き裂き、折れ線ｒで外側に折り曲げることにより、図７に示すように、前板開閉部分Ｑと天板開封部分Ｐが開口された状態とすることができる。また、開口された状態でも、天板開閉部分Ｐに貼着された貼着片１７の大部分は開口と同時に仕切り板１６から切り取られるが、貼着片１７の一部が天板１３に貼り合わされた状態であり、仕切り板１６が固定されている。この状態でカートン内に二つに分けられて収納されている商品を取り出すことができる。
【００２６】
そして、一旦開けた部分を再封する際には、摘まみ部２２ａを、前下板１８に設けられている切り込み１８ａに差し込んで係止することができる。
【実施例】
【００２７】
以下、本発明による包装体の実施例について説明する。
【００２８】
まず、坪量３１０ｇ／ｍ2の板紙（商品名：ウルトラＨ（大昭和板紙株式会社製））の表面に絵柄、文字などの印刷を、オフセット印刷で施した。印刷の表面には、つや出しの表面加工も行った。この多面付けで印刷および表面加工を行った枚葉状の板紙から図８に示すような所定の形のブランクに打ち抜いた。
【００２９】
つぎに、仕切り板１６および貼着片１７を折れ線ｅで側板１４側に折り返し、つぎに、側板１４を折れ線ｃ天板１３側に折り曲げて貼着片１７を天板１３の内面に貼着する。ついで、底板１１を折れ線ａで側板１２側に折り曲げて、底板１１と連結板１５とを貼り合わせて、折り畳んだ状態の易開封中仕切りカートン１Ｂとした。
【００３０】
ついで、このサック貼りして折り畳んだ状態の易開封中仕切りカートン１Ｂを、実際に内容物を充填する工程で角筒状に起こし、両方の折り込み片２１、２５を内側に折り曲げてから、後下板１９、後板２３の順にそれぞれ内側に折り曲げて互いに接着して一方の側を閉鎖した。この状態で他方の側面開口から内容物を充填した。このように内容物を収納した後、同様にして他方の側を閉鎖した。これにより図６に示す易開封中仕切りカートン１Ｂを作成した。
【００３１】
この易開封中仕切りカートン１Ｂでは、前板２２の摘まみ部２２ａを摘んで引っ張り上げ、そして、摘まみ部２２ａの横への前板破断線ｑ、ｑを引き裂いて前板開閉部分Ｑを開封しはじめ、引き続いて前板２２の前板開閉部分Ｑを開封した後に、天板１３の天板開封部分Ｐを両側の天板破断線ｐ、ｐに沿って引き裂き、折れ線ｒで外側に折り曲げることにより、図７に示すように、前板開閉部分Ｑと天板開封部分Ｐが開口された状態とすることができた。また、開口された状態でも、天板開閉部分Ｐに貼着された貼着片１７の大部分は開口と同時に仕切り板１６から切り取られるが、貼着片１７の一部が天板１３に貼り合わされた状態であり、仕切り板１６が固定されており、内容物が確実にカートン内に二つに分けられて収納されている商品を取り出すことができた。そして、一旦開けた部分を再封する際には、前下板１８に設けられている切り込み１８ａに摘まみ部２２ａを差し込んで係止することができた。
【産業上の利用可能性】
【００３２】
具体的な用例としては、二種類の菓子を並べて収納するカートン、仕切り板で仕切られら一方に菓子を他方に玩具等の「おまけ」を収納することができる「おまけ」付き菓子等を収納するカートン、    等に使用することができる。
【図面の簡単な説明】
【００３３】
【図１】本発明の易開封中仕切りカートンの第一の実施の形態の一実施例を示す斜視図である。
【図２】図１の易開封中仕切りカートンの開閉部分を開けた状態を示す斜視図である。
【図３】図１の易開封中仕切りカートンを形成するブランクを示す展開図である。
【図４】図３のブランクから図１の易開封中仕切りカートンを組み立てる工程を説明する図である。
【図５】図１の易開封中仕切りカートンの開封する方法を説明する図である。
【図６】本発明の易開封中仕切りカートンの第二の実施の形態の一実施例を示す斜視図である。
【図７】図６の易開封中仕切りカートンの開閉部分を開けた状態を示す斜視図である。
【図８】図６の易開封中仕切りカートンを形成するブランクを示す展開図である。
【図９】従来の易開封カートンの一例を示す斜視図である。
【符号の説明】
【００３４】
１Ａ  易開封中仕切りカートン
１Ｂ  易開封中仕切りカートン
２    従来の易開封カートン
１０Ａ  ブランク
１０Ｂ  ブランク
１１    底板
１２    側板
１３    天板
１４    側板
１５    連結板
１６    仕切り板
１７    貼着板
１８    前下板
１８ａ  切り込み
１９    後下板
２０    折り込み片
２１    折り込み片
２２    前板
２２ａ  摘まみ部
２３    後板
２４    折り込み片
２５    折り込み板
ｐ    天板破断線
ｑ    前板破断線
ｒ    折れ線
Ｐ    天面開閉部分
Ｑ    前板開閉部分
ａ〜ｎ  折れ線
【図１】
2005104508.tif 000003
【図２】
2005104508.tif 000004
【図３】
2005104508.tif 000005
【図４】
2005104508.tif 000006
【図５】
2005104508.tif 000007
【図６】
2005104508.tif 000008
【図７】
2005104508.tif 000009
【図８】
2005104508.tif 000010
【図９】
2005104508.tif 000011